(57)【要約】【課題】ヘアーアイロンを提供する。【解決手段】アームに振動センサー４０を設け、ヒーター２１の加熱温度を、ヘアーアイロン使用中に維持される設定温度に制御する制御部１５を備え、この制御部１５は、振動センサー４０により所定時間以上放置状態が検知されたとき、ヒーター２１の加熱温度を、設定温度から所定の温度まで下げた状態で制御する。【選択図】図１
2019005642.tif 000002
【特許請求の範囲】
【請求項１】
一対のアームの先端に設けたプレートで毛髪を挟持し、前記プレートを加熱するヒーターを備えたヘアーアイロンにおいて、
前記アームに振動センサーを設け、前記ヒーターの加熱温度を、ヘアーアイロン使用中に維持される設定温度に制御する制御部を備え、
この制御部は、前記振動センサーにより所定時間以上放置状態が検知されたとき、前記ヒーターの加熱温度を、前記設定温度から所定の温度まで下げた状態で制御する、
ことを特徴とするヘアーアイロン。
【請求項２】
前記制御部は、前記ヒーターへの通電量を微分制御し、前記プレートの温度を制御することを特徴とする請求項１に記載のヘアーアイロン。
【請求項３】
前記プレートの温度の変化を前記ヒーターの抵抗値の動きに基づいて検出することを特徴とする請求項１または２に記載のヘアーアイロン。
【請求項４】
前記プレートの温度が前記設定温度となっていない状態を報知するＬＥＤを備えることを特徴とする請求項１ないし３の何れか一項に記載のヘアーアイロン。
【請求項５】
前記アームに永久磁石を設けたことを特徴とする請求項１ないし４の何れか一項に記載のヘアーアイロン。
【請求項６】
前記プレートの表面がプラチナ層とチタン層で被覆されていることを特徴とする請求項１ないし５の何れか一項に記載のヘアーアイロン。
【発明の詳細な説明】
【技術分野】
【０００１】
本発明は、一対のアームに設けたプレートで毛髪を挟持し、このプレートを加熱するヒーターを備えたヘアーアイロンに関する。
【背景技術】
【０００２】
従来、毛髪を挟む一対のアームに設けたプレートと、このプレートを加熱するために設けられるヒーターと、を備え、毛髪に所望の形状を付与する（スタイリングする）ヘアーアイロンが知られている（例えば、特許文献１参照）。この種のヘアーアイロンでは、毛髪の損傷を軽減するために従来から様々な工夫がなされている。
【先行技術文献】
【特許文献】
【０００３】
【特許文献１】特開２０１３−１５４０３５号公報
【特許文献２】特表２０１４−５１６７４２号公報
【発明の概要】
【発明が解決しようとする課題】
【０００４】
本発明は、ヘアーアイロンを提供することを目的とする。
【課題を解決するための手段】
【０００５】
本発明は、一対のアームの先端に設けたプレートで毛髪を挟持し、前記プレートを加熱するヒーターを備えたヘアーアイロンにおいて、前記アームに振動センサーを設け、前記ヒーターの加熱温度を、ヘアーアイロン使用中に維持される設定温度に制御する制御部を備え、この制御部は、前記振動センサーにより所定時間以上放置状態が検知されたとき、前記ヒーターの加熱温度を、前記設定温度から所定の温度まで下げた状態で制御する、ことを特徴とする。
【０００６】
本発明は、前記制御部は、前記ヒーターへの通電量を微分制御し、前記プレートの温度を制御することを特徴とする。
本発明は、前記プレートの温度の変化を前記ヒーターの抵抗値の動きに基づいて検出することを特徴とする。
本発明は、前記プレートの温度が前記設定温度となっていない状態を報知するＬＥＤを備えることを特徴とする。
本発明は、前記アームに永久磁石を設けたことを特徴とする。
また本発明は、前記プレートの表面がプラチナ層とチタン層で被覆されていることを特徴とする。
【図面の簡単な説明】
【０００７】
【図１】本発明の実施形態に係るヘアーアイロンの斜視図である。
【図２】ヘアーアイロンの内部構成を示す断面図である。
【図３】一方のアーム部の内部構成を示す図であり、（Ａ）は平面透視図、（Ｂ）は断面図である。
【図４】一方のアーム部の内部構成を示す断面図であり、（Ａ）は先端部の断面図、（Ｂ）は中央部の断面部、（Ｃ）は根元部の断面図である。
【図５】プレートの構成を示す断面図である。
【図６】ヘアーアイロンの電気回路図である。
【発明を実施するための形態】
【０００８】
以下、図面を参照して本発明を適用した実施形態について説明する。
図１に示すように、ヘアーアイロン１は、アイロン本体２と、アイロン本体２に接続された電源コード３と、を備えている。電源コード３は、不図示の電源プラグを備え、当該電源プラグを電源コンセントに接続することで、アイロン本体２に電源が供給される。
アイロン本体２は、一対のアーム５，６を備え、アーム５，６にはプレート５０，６０がそれぞれ設けられている。ヘアーアイロン１は、一対のアーム５，６に設けたプレート５０，６０で毛髪を挟持し、プレート５０，６０を電源コード３を介してアイロン本体２の供給した電源により加熱して、プレート５０，６０間に挟持された毛髪に所望の形状を付与するものである。例えば、ヘアーアイロン１は、毛髪の縮れを矯正するといった用途に好適に用いることができ、シスチンのジスフィルド結合を切断する薬液を毛髪に塗布した後に、加熱したプレート５０，６０間に毛髪を挟持して、毛髪の縮れを矯正するのに用いることができる。
【０００９】
アーム５，６は、樹脂材等の軽量で熱伝導性の低い材料で形成され、それぞれ基端部１１（１１Ａ，１１Ｂ）、把持部１２（１２Ａ，１２Ｂ）、先端部１３（１３Ａ，１３Ｂ）を有する。基端部１１Ａ，１１Ｂは、軸部１４により互いに回動可能に連結される。各アーム５，６の長手方向の中間部には、把持部１２Ａ，１２Ｂが設けられる。把持部１２Ａ，１２Ｂは、施術者がヘアーアイロン１を使用する際に把持する部分であり、施術者が持ちやすい適宜の太さ、及び形状に形成される。軸部１４は、アーム５，６間の開き角度が、アーム５，６に力が加えられていない状態で、最大開き角度となるように、アーム５，６を互いに連結する。また、アーム５，６間の最大開き角度は、施術者がヘアーアイロン１を片手で保持し、かつアーム５，６の一方に親指を、他方に残りの指の何本かをかけてアーム５，６間の開閉操作を容易にできる適宜の角度に設定される。
【００１０】
アーム５，６の先端部１３Ａ，１３Ｂには、プレート５０，６０が設けられている。プレート５０，６０は、毛髪を挟持する平板部５９，６９を有する。平板部５９，６９は、互いに対向する面が対向側から見て矩形板状に形成される。アーム５，６は、先端部１３Ａ，１３Ｂにプレート５０，６０から先端側、及び、両側面側に張り出す張出部１７Ａ，１７Ｂを有する。プレート５０，６０からアーム５，６の先端側に張り出す張出部１７Ａと、両側面側に張り出す張出部１７Ｂ，１７Ｂは、それぞれ等しい張り出し量で形成されている。つまり、プレート５０，６０は、アーム５，６の先端側および両側面側から等しい幅Ｗをあけてアーム５，６の先端部１３Ａ，１３Ｂに支持される。
【００１１】
張出部１７Ａ，１７Ｂは、プレート５０，６０で毛髪を挟持する際に、プレート５０，６０が被施術者の頭皮、顔、耳などに直接触れないように設けられる。
このように、本実施形態では、アーム５，６の先端および両側面に張出部１７Ａ，１７Ｂを設けて、アーム５，６の先端側および両側面側に等しい幅Ｗをあけてプレート５０，６０を支持した。この構成により、ヘアーアイロン１を、毛髪の伸びる方向に対し、プレート５０，６０の長手方向を略直交させて平板部５９，６９間に毛髪を挟持して使用する他に、毛髪の伸びる方向に対して、プレート５０，６０の短手方向を略直交させて平板部５９，６９間に毛髪を挟持して用いることができる。このように、アーム５，６の先端側および両側面側に等しい幅Ｗをあけてプレート５０，６０を支持したため、ヘアーアイロンの操作方向に自由度を持たせることができるため、ヘアーアイロン１の操作性を向上することができる。
【００１２】
アーム５，６は、図２、図３に示すように、ヘアーアイロン１の組み立て時に対向する面が開口する中空状に形成され、当該開口がプレート５０，６０と、蓋体５１，６１とで塞がれる。アーム５，６は、先端部１３Ａ，１３Ｂの中空内部に、セラミックヒーター２１と、絶縁シート２２と、マグネットプレート２３と、マグネット押さえばね３４と、を備えている。
プレート５０，６０は、アルミニウム、チタン、セラミック、金、プラチナ等の軽量で熱伝導性に優れた材料から形成される。本実施形態のプレート５０，６０は、アルミニウム合金から形成した基材の表面を研磨し、研磨した表面に、銅の薄膜、ニッケルの薄膜、チタンの薄膜、及び白金の薄膜を順に被覆する表面処理を施したプラチナチタンプレートである。この構成によれば、毛髪に直接触れるプレート５０，６０の表面に施した表面処理により、毛髪との間の摩擦抵抗を低減し、毛髪の損傷を軽減することができる。また、プレート５０，６０の表面に、銅、ニッケル、チタンや白金を被覆する表面処理を施すことで、表面に毛髪が接触するなどの外乱が生じた際の温度の低下を穏やかにすることができ、プレート５０，６０の温度制御をし易くすることができる。
【００１３】
図３、図４は、一方のアーム５の先端部１３Ａの内部構成を示す図である。図５は、プレート５０，６０と、セラミックヒーター２１と、絶縁シート２２と、マグネットプレート２３と、マグネット押さえばね３４との配置構成を示す図である。プレート５０，６０の背面側には、図５に示すように、一対の係合片部６１がプレート５０の長手方向に沿って一体に設けられる。一対の係合片部６１の間には、収容部５２が設けられ、収容部５２にセラミックヒーター２１と、絶縁シート２２と、マグネットプレート２３と、マグネット押さえばね３４とが収容される。
【００１４】
プレート５０，６０の平板部５９，６９の背面には、セラミックヒーター２１が配設されている。セラミックヒーター２１は、背面側から平板部５９，６９に熱を伝えるヒーターである。セラミックヒーター２１は、矩形薄板状に形成され、電源コード３に電気的に接続されて発熱する。セラミックヒーター２１の温度は、把持部１２Ｂに設けられたコントロールパネル８への操作で所定の温度に設定可能に構成される。セラミックヒーター２１の温度は、例えば、５０℃、８０℃、１８０℃の３段階に設定可能に構成され、コントロールパネル８には、現在選択されている設定温度を点灯により示すＬＥＤが設けられている。また、コントロールパネル８には、温度設定ボタンの他に、電源ボタンや、後述するＬＥＤ２６の点滅を操作する操作ボタンが設けられている。なお、本実施形態では、プレート５０，６０を加熱するヒーターとしてセラミックヒーター２１を用いているが、セラミックヒーター２１のほかに、例えばカーボンやシリコン、アルミなどの面状発熱体を用いても良い。
【００１５】
収容部５２には、セラミックヒーター２１の背面側に絶縁シート２２を介して配設されたマグネットプレート２３と、マグネットプレート２３を平板部５９，６９側に付勢するマグネット押さえばね３４とが収容される。絶縁シート２２は、シート状の電気絶縁体であり、セラミックヒーター２１の電気絶縁性を補助する。マグネットプレート２３は、磁力が１００００ガウス以上の永久磁石であり、平板部５９，６９相互で同極側が対向するように配設される。このように、プレート５０，６０の背面側にマグネットプレート２３を配設することで、プレート５０，６０の周囲に磁界を発生させて、毛髪に静電気が発生するのを防ぐことができる。また、プラチナチタンプレートとして構成されたプレート５０，６０の背面側にマグネットプレート２３を配設することで、プレート５０，６０の周囲にマイナスイオンを発生させることができ、周囲環境の改善を実現するとともに、保湿効果により、毛髪のダメージを和らげることができる。
【００１６】
マグネット押さえばね３４は、板ばねで形成され、マグネットプレート２３を収容部５２内において、セラミックヒーター２１の背面方向に付勢し、セラミックヒーター２１を平板部５９，６９の背面に密着させるとともに、マグネットプレート２３を安定支持する。また、マグネット押さえばね３４は、同極が対向配置されたマグネットプレート２３，２３の相互の磁性による反力で撓まない程度のばね定数を持つように構成されている。
【００１７】
アーム５の先端部１３Ａは、図４に示すように、中央部Ｍが上方に凸な曲線形状の断面アーチ状に形成される。なお、図４においては、セラミックヒーター２１、絶縁シート２２、マグネットプレート２３、及びマグネット押さえばね３４の図示を省略している。先端部１３Ａには、図４（Ｂ）に示すように、アーチの内側にプレート５０を保持するプレートホルダー２７が設けられる。プレートホルダー２７は、プレート５０の係合片部６１と係合し、プレート５０を保持する保持片部３２を備える。プレートホルダー２７はアルミニウム合金等の軽量の金属から形成される。プレートホルダー２７は、先端部１３Ａの長手方向に亘って延在し、後述するホルダー用板ばね２８，２９を介して、先端部１３Ａの内側に固定される。保持片部３２は、プレートホルダー２７の中央部に少なくとも１つ設けられる構成であっても良いし、プレートホルダー２７の長手方向に沿って複数箇所に設けられる構成であっても良い。なお、図示は省略するが、他方のアーム６の先端部１３Ｂにプレート６０を保持する構成についても、一方のアーム５と同様に、係合片部６１をプレートホルダー２７により保持する構成である。
【００１８】
先端部１３Ａの内壁面１６には、中央部Ｍにアーム５の長手方向に沿ってＬＥＤ基板２５が設けられる。ＬＥＤ基板２５には、長手方向に沿ってＬＥＤ２６が複数設けられている。ＬＥＤ２６には、光源としてのＬＥＤ発光素子とレンズとが一体に構成された砲弾型のＬＥＤを好適に用いることができる。ＬＥＤ基板２５には、赤色光を発光するＬＥＤ２６Ａと、青色光を発光するＬＥＤ２６Ｂと、緑色光を発光するＬＥＤ２６Ｃと、が設けられ、ＬＥＤ２６Ａ、ＬＥＤ２６Ｂ、ＬＥＤ２６Ｃがそれぞれ複数個設けられている。
【００１９】
図４（Ａ）は先端部１３Ａの先端側、図４（Ｃ）は先端部１３Ａの基端側の断面図である。なお、アーム６の先端部１３Ｂの内部構成は、アーム５の先端部１３Ａの内部構成と同様であっても良いし、あるいは、ＬＥＤ基板２５及びＬＥＤ２６を備えない構成であっても良い。アーム５，６両側端には、プレート５０，６０の両側面側の端との間に隙間Ｇが形成されている。アーム５，６の内側には、アーム５，６の内壁面１６に沿って中央部Ｍから隙間Ｇに連通する空間Ｐが設けられる。隙間Ｇ及び、空間Ｐは、先端部１３Ａ，１３Ｂの長手方向に亘って延在する。
【００２０】
ＬＥＤ基板２５に設けられたＬＥＤ２６の発光は、先端部１３Ａの内壁面１６で拡散反射されて、空間Ｐから隙間Ｇを介してアーム５の外部に照射される。つまり、アーム５，６両側端と、プレート５０，６０の両側面側の端との間の隙間Ｇは、ＬＥＤ２６の照射開口として構成され、この照射開口たる隙間ＧからＬＥＤ２６の発光は、プレート５０，６０間に挟持された毛髪に照射される。赤色光を発光するＬＥＤ２６Ａが点灯された場合、赤色光の発光により、被施術者の毛髪に育毛を促進する効果を与えることができる。青色光を発光するＬＥＤ２６Ｂが点灯された場合、青色光の発光により、被施術者の毛髪や頭皮を殺菌する効果を与えることができる。また、緑色光を発光するＬＥＤ２６Ｃが点灯された場合、緑色光の発光により、頭皮のストレス軽減や水分保持を促進する効果を与えることができる。ＬＥＤ２６Ａ、ＬＥＤ２６Ｂ、ＬＥＤ２６Ｃの点灯は、それぞれ不図示の点灯スイッチでオン、オフすることができるように構成されていてもよい。また、ＬＥＤ２６Ａ、ＬＥＤ２６Ｂ、ＬＥＤ２６Ｃの点灯を短時間の周期的制御によりそれぞれ点滅させて、各色の発光により効果を促進することができる構成であっても良い。
【００２１】
このように、本実施形態では中央部Ｍが上方に凸な曲線形状の断面アーチ状に形成されたアーム５の中央部Ｍに長手方向に沿って複数のＬＥＤ２６を設けたため、ヘアーアイロン１を大型化することなく、ＬＥＤ２６を設けることができる。また、アーム５の中央部Ｍに設けたＬＥＤ２６の光をアーム５の内壁面１６で拡散反射させて、アーム５，６両側端と、プレート５０，６０の両側面側の端との間の隙間Ｇから毛髪に照射させるため、プレート５０，６０間に挟持された毛髪に均等にＬＥＤ２６の光を照射することができる。
【００２２】
アーム５，６の先端部１３Ａ，１３Ｂには、プレートホルダー２７を付勢保持するホルダー用板バネ２８，２９が螺子などの固定具３１によって固定される固定孔３０が先端側及び基端側に設けられる。先端部１３Ａ，１３Ｂの先端側に配設されるホルダー用板バネ２８は、１枚の板バネから構成され、内壁面１６と、プレートホルダー２７との間に介設される。先端部１３Ａ，１３Ｂの基端側に配設されるホルダー用板バネ２９は、２枚の板バネから構成され、内壁面１６と、プレートホルダー２７との間に介設される。ホルダー用板バネ２８，２９は、プレート５０，６０の平板部５９，６０間に毛髪を挟持した際に、毛髪を挟持する力の掛かり具合を弾性的に調節する役割を果たす。
【００２３】
ヘアーアイロン１は、一方のアーム５の把持部１２Ａに、音波振動を発生させる音波振動子２４が設けられている。音波振動子２４は、約１０ＭＨｚの音波振動を発生させ、この音波振動をアーム５，６を介して、プレート５０，６０の対向する領域に与える。音波振動子２４により音波振動を発生させることで、毛髪に所定の周波数以上の振動を与え、毛髪へ水分を浸透させやすくしたり、毛髪に所望の形状を付与しやすくしたりすることができる。音波振動子２４は、施術者が、例えば、把持部１２Ａの外側面に設けられた不図示のスイッチを操作することで、オン／オフの操作を行える構成であっても良い。この構成によれば、簡単な操作で音波振動子２４を振動させて、毛髪へ水分を浸透させやすくしたり、毛髪に所望の形状を付与しやすくしたりすることができる。
【００２４】
また、ヘアーアイロン１には、図６に示すように、振動センサー４０が設けられる。振動センサー４０には、加速度センサーや、ジャイロセンサーを用いることができ、ヘアーアイロン１の動きを検知する。ヘアーアイロン１は、電源がオンの状態で、振動センサー４０により所定時間以上（本実施形態では１５分間）動きが検知されなかった場合、つまり、ヘアーアイロン１が所定時間以上使用されずに放置される放置状態となった場合には、セラミックヒーター２１の温度を所定の温度（本実施形態では６０℃）まで下げる制御が行われる。この構成によれば、ヘアーアイロン１が電源がオンの状態で所定時間以上放置された場合には、セラミックヒーター２１の温度を所定温度まで下げる制御を自動的に行うため、電力の余分な消費を抑え、エコ安全動作を実現することができる。
【００２５】
また、ヘアーアイロン１は、プレート５０，６０の温度を一定に保つために、温度制御部１００と、温度検知部１１０とを備える。本実施形態では、ヘアーアイロン１のＣＰＵ１５（制御部）が温度制御部１００として機能する。温度検知部１１０は、各プレート５０，６０に設けられたサミスタ１１１と、セラミックヒーター２１の電気抵抗値を検出する抵抗値検出部１１２とから構成される。本実施系形態では、ヘアーアイロン１のＣＰＵ１５が、抵抗値検出部１１２として機能する。ＣＰＵ１５は、サミスタ１１１が検出した各プレート５０，６０の温度と、抵抗値検出部１１２が検出したセラミックヒーター２１の電気抵抗値とに基づいて、プレート５０，６０の温度を制御する。
【００２６】
プレート５０，６０間に毛髪を挟持した際に、プレート５０，６０の温度は通常急激に降下する。しかしながら、ヘアーアイロン１のプレート５０，６０の温度が、使用中に一定に維持されなければ、処理される毛髪の部分におけるスタイリングの品質が不十分になる場合がある。また、温度制御の途中で、ヘアーアイロン１のプレート５０，６０の温度が所定の温度より高くなった場合には、毛髪にダメージを与えかねないという問題がある。本実施形態では、ＣＰＵ１５は、抵抗値検出部１１２が検出したセラミックヒーター２１の電気抵抗値の変化に基づいて、微分時間を短く設定した微分制御によりプレート５０，６０の温度を一定に保つ制御を行う。ＣＰＵ１５は、セラミックヒーター２１の電気抵抗値の変化の傾斜に比例した追加量を追加して温度調整する制御を行う。
【００２７】
この構成によれば、セラミックヒーター２１の電気抵抗値の変化に基づいて温度制御を開始するため、プレート５０，６０の温度が実際に降下し始める前に、温度制御を開始することができ、プレート５０，６０の温度を一定に保つように制御することができる。また、微分時間を短く設定した微分制御によりプレート５０，６０の温度を制御するため、プレート５０，６０の温度が設定温度より高くなるのを防ぎ、且つ、速やかに設定温度に戻るように温度を制御することができる。よって、ヘアーアイロン１のプレート５０，６０の温度が、使用中に一定に維持するように制御することができ、毛髪のスタイリングの品質を向上することができる。また、温度制御の途中で、ヘアーアイロン１のプレート５０，６０の温度が所定の温度より高くなることがなく、毛髪に損傷を与えることなくスタイリングを行うことができる。なお、本実施形態のヘアーアイロン１は、設定温度に対して約１℃の温度変化の範囲でプレート５０，６０の温度を制御することができるように構成されている。また、ヘアーアイロン１は、コントロールパネル８に、ＣＰＵ１５による設定温度に対する温度制御が実行中であり、プレート５０，６０の温度が設定温度となっていない状態を点滅により報知するＬＥＤを備える構成であっても良い。
【００２８】
さらに、温度検知部１１０は、サミスタ１１１を備え、当該サミスタ１１１は、特にプレート５０，６０の温度が所定以上に上昇した場合に、セラミックヒーター２１への通電を強制的に停止し、プレート５０，６０が過熱されるのを防ぐために設けられる。この構成によれば、プレート５０，５０が所定以上の温度になり、毛髪に損傷を与えるのを防ぐことができる。
【００２９】
以上説明したように、本発明を適用した実施形態によれば、一対のアーム５，６の先端に設けたプレート５０，６０で毛髪を挟持し、プレート５０，６０を加熱するセラミックヒーター２１を備えたヘアーアイロン１において、プレート５０，６０がアーム５，６の先端側および両側面側に等しい幅Ｗをあけて支持されているため、ヘアーアイロン１の操作方向に自由度があり、一対のプレート５０，６０の長手方向及び短手方向の両方から毛髪を挟持して施術することができ、操作性に優れたヘアーアイロン１を提供することができる。
【００３０】
また、本実施形態によれば、プレート５０，６０の裏にＬＥＤ２６を備え、ＬＥＤ２６の光をアーム５，６の内部を通ってアーム５，６の両側面側の端に設けられた隙間Ｇから出射させるため、アーム５，６内部の余剰空間を用いてヘアーアイロン１を大型化することなくＬＥＤ２６を配設することができる。そして、ＬＥＤ２６を毛髪や頭皮に照射することにより、毛髪に、育毛を促進する効果、毛髪や頭皮を殺菌する効果、頭皮のストレス軽減や水分保持を促進する効果等、様々な効果を与えることができる。
【００３１】
また、本実施形態によれば、アーム５，６に音波振動子２４を設けたため、毛髪の整形過程において、毛髪への薬液の浸透を助け、プレート５０，６０の温度上昇との相乗効果により、毛髪に所望の形状を付与し易くし、毛髪への理想的な処理を可能にすることができる。
【００３２】
また、本実施形態によれば、アーム５，６に振動センサー４０を設け、振動センサー４０により放置状態が検知されたとき、セラミックヒーター２１の加熱温度を抑制する制御部１５を備えた。この構成によれば、放置状態でセラミックヒーター２１が加熱され続けるのを防止することができ、無駄な電気消費を抑え、エコ安全動作を実現することができる。
【００３３】
また、本実施形態によれば、アーム５，６に永久磁石であるマグネットプレート２３を設けたため、アーム５，６の周囲に磁界を発生させ、プレート５０，６０間に挟持される毛髪に静電気が発生するのを防ぐことができ、毛髪に損傷を与えるのを防ぐことができる。
【００３４】
また、本実施形態によれば、プレート５０，６０の表面がプラチナ層とチタン層で被覆されているため、毛髪とプレート５０，６０との摩擦抵抗を軽減し、毛髪の損傷を軽減することができる。また、表面をプラチナ層とチタン層で被覆したプレート５０，６０の背面にマグネットプレート２３を配設することで、プレート５０，６０の周囲にマイナスイオンを発生させることができ、周囲環境の改善を実現するとともに、保湿効果により、毛髪のダメージを和らげることができる。
【００３５】
また、本実施形態によれば、セラミックヒーター２１への通電量を微分制御し、プレート５０，６０の温度を制御するため、プレート５０，６０の温度が設定温度より高くなるのを防ぎ、且つ、速やかに設定温度に戻るように温度を制御することができる、毛髪にダメージを与えることなく、毛髪のスタイリングの品質を向上することができるように、温度制御することができる。
【００３６】
また、本実施形態によれば、プレート５０，６０の温度の変化をセラミックヒーター２１の抵抗値の動きに基づいて検出するため、プレート５０，６０の温度変化を敏感に検出することができ、プレート温度が大きく変化する前に、温度制御を行うことができ、使用中のヘアーアイロン１のプレート５０，６０の温度を一定に維持し、毛髪のスタイリングの品質を向上することができる。
【符号の説明】
【００３７】
１  ヘアーアイロン
２  アイロン本体
３  電源コード
５、６  アーム
１３Ａ、１３Ｂ  先端部
１５  ＣＰＵ（制御部）
２１  セラミックヒーター（ヒーター）
２２  絶縁シート
２３  マグネットプレート（永久磁石）
２４  音波振動子
２５  ＬＥＤ基板
２６、２６Ａ、２６Ｂ、２６Ｃ  ＬＥＤ（ＬＥＤ発光素子）
４０  振動センサー
５０、６０  プレート
１１０  温度検知部
１１２  抵抗値検出部
Ｇ  隙間
Ｍ  中央部
【図１】
2019005642.tif 000003
【図２】
2019005642.tif 000004
【図３】
2019005642.tif 000005
【図４】
2019005642.tif 000006
【図５】
2019005642.tif 000007
【図６】
2019005642.tif 000008